(57)【特許請求の範囲】
【請求項１】
高さの低い円筒状の胴部を有する２軸延伸ブロー成形された合成樹脂製広口容器であって、底壁の下面を平滑面とし、充填収容した内容物を、回動変位不能に係止保持する複数の係止凹部を、底壁の略平坦な内面に配列形成し、前記係止凹部が形成される底壁内面の中央部分の最大範囲を、口部の口径の８０％の径寸法範囲としたことを特徴とする広口容器。
【請求項２】
各係止凹部を放射状に配列すると共に、平面形状を、花弁状とした請求項１記載の広口容器。
【発明の詳細な説明】
【技術分野】
【０００１】
本発明は、比較的固化し易い内容物を収容する２軸延伸ブロー成形された合成樹脂製広口容器に関するものである。
【背景技術】
【０００２】
２軸延伸ブロー成形された合成樹脂製広口容器、およびこの広口容器を成形する２軸延伸ブロー成形装置を開示する従来技術として特開平１１−１５７５２４号公報（特許文献１）がある。
【特許文献１】特開２０００−２４６７８９号公報
【０００３】
この特許文献１に示された従来技術から明らかなように、２軸延伸ブロー成形された壜体状の合成樹脂製広口容器は、短円筒状の口部の下に、高さの低い円筒状の胴部を連設し、この胴部の下端に底部を連設して構成され、底部は、主体部分である底壁の外面である下面の周端部に脚壁を膨出状に設けて構成され、底壁の上面である内面は、わずかに球弧状に盛り上がった平滑面となっている。
【０００４】
そして、この広口容器は、広口であることを利点として、各種のクリーム状内容物および固化し易い内容物の収納容器として、広く利用されている。
【発明の開示】
【発明が解決しようとする課題】
【０００５】
しかしながら、上記した従来技術の広口容器にあっては、装飾性に欠けると共に、固化し易い内容物を収容した場合、水分蒸発とか溶剤揮散等により内容物がわずかに固化収縮すると、広口容器の内周面と内容物との間の摺動抵抗力が低下し、このため内容物を指先等で擦り取る際に、擦り取り力の作用により、固化収縮した内容物が、広口容器に対して不正に回動変位してしまい、内容物の擦り取り動作が不良となる、と云う問題があった。
【０００６】
これは、広口容器内に充填収容された内容物の固化収縮変形が、縮径変形を主体として発生するためで、固化収縮した内容物と底壁内面との間の接触抵抗は、内容物の重量の作用により、殆ど低下することがないのに比べ、固化収縮した内容物と胴部内周面との間の接触抵抗は、縮径変形することにより、大幅に低下するからである。
【０００７】
そこで、本発明は、上記した従来技術における問題点を解消すべく創案されたもので、広口容器に対する固化し易い内容物の回動変位を阻止することを技術的課題とし、もって指先等による内容物の擦り取りを、良好に達成できるようにすることを目的とする。
【課題を解決するための手段】
【０００８】
本発明による広口容器は、２軸延伸ブロー成形された合成樹脂成形品であり、高さの低い円筒状の胴部を有すると共に、底部の主体部である底壁の内面および外面は、略平坦面となっている。
【０００９】
底壁の内面には、充填収容した固化し易い内容物を、回動変位不能に係止保持する複数の係止凹部を、配列形成している。
【００１０】
固化し易い内容物は、流動性の高い状態で容器内に注入充填されるが、充填後の冷却等による定常化により、容器の内表面を型面として固化する。
【００１１】
このため、底壁内面に接触している、固化した内容物の下面には、底壁内面に陥没形成された係止凹部に嵌合する凸部が一体に成形される。
【００１２】
複数の係止凹部は、底壁内面に配列形成されているので、この係止凹部に嵌合している内容物の凸部は、内容物が容器内で回転変位しようとする際に、係止凹部に対して回動方向から係止することになり、これにより固化し易い内容物は、容器内に回動変位不能に収納保持されることになる。
【００１３】
また、この固化し易い内容物の容器に対する回動変位不能な収容組付きは、固化し易い内容物下面と、容器の底壁内面との間で達成されるものであるので、内容物が径時によりわずかに収縮変形しても、この係止凹部と凸部との係止状態は、内容物の重さの作用により、解除されることはなく、容器に対する内容物の回動変位不能な収容組付きは、安定して維持される。
【００１４】
また、係止凹部が形成される底壁内面の中央部分の最大範囲を、口部の口径の８０％の径寸法範囲とした。
【００１５】
係止凹部が形成される底壁内面の中央部分の最大範囲を、口部の口径の８０％の径寸法範囲としたものにあっては、係止凹部が形成される底壁内面の中央部分の範囲が、口部の口径の８０％を越えると、容器の２軸延伸ブロー成形の成形性の低下、２軸延伸ブロー成形に使用される各構成部分の機械部品の肉厚に対する制限の厳格化、延伸ロッドとプリフォームとのクリアランスがきわめて小さくなる等の不都合を生じることになるが、この不都合の発生を未然に防止する。
【００１６】
また、本発明の別の構成は、各係止凹部の平面形状を、花弁状として、放射状に配列した、ことにある。
【００１７】
各係止凹部の平面形状を、花弁状として放射状に配列したものにあっては、複数の係止凹部の集まりが、一輪の花に似た模様を形成し、内容物さらには容器が透明である場合には、この花に似た模様が装飾模様として現出される。
【００１８】
本発明に使用される延伸ロッドは、合成樹脂製広口容器を２軸延伸ブロー成形する際に使用される延伸ロッドであって、ロッド本体の先端に、平板状の本体部を同軸心状に設け、この本体部の先端面に複数の凸型部を配列形成して構成したものである。
【００１９】
延伸ロッドの先端面は、プリフォームから２軸延伸ブロー成形された容器の底壁内面の中央部分の成形型面を提供する部分であるが、この延伸ロッドの先端面を形成する本体部の先端面に、複数の凸型部を配列形成したので、延伸ロッドは、その延伸動作により、容器の底壁内面の中央部分に、複数の係止凹部を配列形成することになる。
【００２０】
延伸ロッドの本体部は、ロッド本体の径寸法に制限されることなく、凸型部の配置範囲を設定することが可能となる。
【００２１】
延伸ロッドの別の構成は、本体部の後端面中央に組付き軸部を起立設して先端治具を構成し、この先端治具をロッド本体に対して、組付き軸部のロッド本体先端部への嵌着により、着脱自在に組付けた、ことにある。
【００２２】
本体部を有する先端治具を、ロッド本体先端部に着脱自在に組付け可能とした構成にあっては、得ようとする係止凹部の形状、大きさ、配列形態、配置範囲等の変更を、ロッド本体に対する先端治具を交換で達成する。
【発明の効果】
【００２３】
本発明は、上記した構成となっているので、以下に示す効果を奏する。
本発明の容器にあっては、容器と内容物の少なくとも一方が透明もしくは半透明である場合とか、固化し易い内容物の消費が進んで、係止凹部が透視される状態となると、係止凹部が模様として現出し、面白みのある装飾効果を得ることができ、また底壁内面の中央部分に形成された係止凹部に、内容物の凸部が嵌合することにより、内容物を回動変位不能に収容保持することができ、これにより内容物を指先等で擦り取る際に、内容物が不都合に回動変位して、内容物の擦り取りが不良となることがなく、安定して良好な内容物の擦り取り動作を得ることができる。
【００２４】
また、内容物の容器に対する回動変位不能な収容組付きは、内容物の径時収縮変形に関わりなく、安定して維持されるので、内容物をほぼ使い切るまで、良好な使用状態を得ることができる。
【００２５】
係止凹部が形成される底壁内面の中央部分の最大範囲を、口部の口径の８０％の径寸法範囲としたものにあっては、容器の２軸延伸ブロー成形の成形性の低下、２軸延伸ブロー成形に使用される各構成部分の機械部品の肉厚に対する制限の厳格化、延伸ロッドとプリフォームとのクリアランスがきわめて小さくなる等の不都合の発生を未然に防止した状態で、有効な係止凹部を、安定して形成することができる。
【００２６】
各係止凹部の平面形状を、花弁状にして放射状に配列したものにあっては、複数の係止凹部の集まりが、一輪の花に似た模様を形成し、内容物さらには容器が透明もしくは半透明である場合には、この花に似た模様が装飾模様として現出されるので、特有で効果の大きい装飾効果を得ることができる。
【００２７】
本発明に使用される延伸ロッドは、先端面に複数の凸型部を配列形成したので、延伸動作により、容器の底壁内面の中央部分に、複数の係止凹部を配列形成することになるので、係止凹部成形のための特別な成形操作を要することがなく、簡単にかつ確実に係止凹部を成形することができる。
【００２８】
また、延伸ロッドの先端面は、ロッド本体の先端に設けた本体部が形成するので、ロッド本体の径寸法に束縛されることなく、その大きさを設定することができ、これにより係止凹部の形成範囲を、所望する大きさに設定することが、無理なく容易に達成することができる。
【００２９】
延伸ロッドにおいて、本体部を有する先端治具を、ロッド本体先端部に着脱自在に組付け可能とした構成にあっては、得ようとする係止凹部の形状、大きさ、配列形態、配置範囲等の変更を、ロッド本体に対する先端治具を交換で達成することができるので、係止凹部の変更が容易であると共に、この係止凹部の変更による経費の増大を、殆ど生じさせることがない。
【発明を実施するための最良の形態】
【００３０】
以下、本発明の実施形態例を、図面を参照しながら説明する。
【００３１】
図１は、ポリエチレンテレフタレート樹脂等による２軸延伸ブロー成形品としての広口容器である容器１の全体縦断正面図で、容器１は、外周面に螺条を刻設した短円筒状の口部２の下端に、幅の狭い外鍔状の肩部３を介して、高さの低い円筒状の胴部４を垂下連設し、この胴部４の下端に底部５を連設して構成されている。
【００３２】
底部５は、略平円板状の底壁６の周端縁に、胴部４との連設部分である脚壁８を、下側に膨出させた形態で連設して構成され、外面を略平坦面とした底壁６の内面中央部分には、複数の陥没穴状の係止凹部７が放射状に配列形成されている。
【００３３】
図２は、係止凹部７の第一の構成例を示す、容器１の全体平面図で、細長四角穴状をした６個の係止凹部７を、等中心角毎に放射状に配列しており、この係止凹部７が形成されている底壁６の内面中央部の範囲は、口部２の口径の約６４％の径寸法範囲となっている。
【００３４】
図３は、係止凹部７の第二の構成例を示す、容器１の全体平面図で、開口形状が細長花弁状をした１２個の係止凹部７を、等中心角毎に放射状に配列して、一輪の花状の形態を現出させており、この係止凹部７が形成されている底壁６の内面中央部の範囲は、口部２の口径の約８０％の径寸法範囲となっている。
【００３５】
図２の構造例の場合、係止凹部７は、内容物の回動変位を阻止することだけを目的として構成されているのに対し、図３の構造例の場合は、係止凹部７は、内容物の回動変位を阻止することは当然として、この係止凹部７の集まりが、装飾を目的とする模様を現出することができるものとなっている。
【００３６】
それゆえ、図３の構造例の場合は、容器１全体と、収容される内容物の一方または両方を透明若しくは半透明とすると、係止凹部７の集まりが現出する模様は、立体感のあるものとなる。
【００３７】
図４と図５は、容器１の２軸延伸ブロー成形動作を説明するもので、図４に示すように、所望温度に加熱された深皿状をしたプリフォーム１ａを、２軸延伸ブロー成形金型装置（図示省略）に、その口筒部２ａで組付けた状態で、延伸ロッド９を前進させながら、図５に示すように、容器１に延伸ブロー成形する。
【００３８】
このプリフォーム１ａから容器１への延伸ブロー成形に際して、プリフォーム１ａの胴筒部４ａの下端に連設された底壁部６ａには、前進してきた延伸ロッド９の先端面が真っ先に押圧接触するので、この底壁部６ａは殆ど延伸変形することなく、底壁６の中央部分に成形される。
【００３９】
そして、延伸ロッド９の先端面には、係止凹部７を成形するための凸型部１３が設けられているので、プリフォーム１ａが容器１に２軸延伸ブロー成形された図５図示状態では、底壁６の内面中央部分には、係止凹部７が陥没成形されていることになる。
【００４０】
この図４および図５の図示構成例の場合、延伸ロッド９は、通常の延伸ロッドのロッド本体と同じであるロッド本体１０と、このロッド本体１０の先端に、組付けピン１５により着脱自在に組み付けられる先端治具１１とから構成されている。
【００４１】
先端治具１１は、先端面が、延伸ロッド９の先端面を形成する平円板状の本体部１２と、この本体部１２の後端面の中央に起立設され、ロッド本体１０の先端面の嵌合穴部に嵌入して、組付けピン１５等の着脱手段によりロッド本体１０に組付けられる組付き軸部１４とから構成されており、本体部１２の先端面には、係止凹部７を成形する複数の凸型部１３が、放射状に配列突設されている。
【００４２】
本体部１２は、ロッド本体１０よりも大きい径寸法を有しているのが良く、延伸ロッド９の駆動部分における構造的な寸法規制、すなわちロッド本体１０の径寸法規制に関わりなく、凸型部１３の形成範囲を所望する大きさとすることができ、これにより係止凹部７の形成範囲の径寸法を、最大で、口部２の口径の８０％まで大きくすることができる。
【００４３】
この先端治具１１は、本体部１２の先端面に突設した凸型部１３の形状、大きさ、配列形態等を異なるものとした複数が予め用意されており、要求され係止凹部７に対応した凸型部１３を有する先端治具１１をロッド本体１０に組付けて、容器１を２軸延伸ブロー成形する。
【図面の簡単な説明】
【００４４】
【図１】容器の一実施形態例を示す、全体縦断正面図である。
【図２】係止凹部の第一構造例を示す、容器の全体平面図である。
【図３】係止凹部の第二構造例を示す、容器の全体平面図である。
【図４】容器の２軸延伸ブロー成形開始時の、説明用断面図である。
【図５】容器の２軸延伸ブロー成形完了時の、説明用断面図である。
【符号の説明】
【００４５】
１  ；容器
２  ；口部
３  ；肩部
４  ；胴部
５  ；底部
６  ；底壁
７  ；係止凹部
８  ；脚壁
９  ；延伸ロッド
１０；ロッド本体
１１；先端治具
１２；本体部
１３；凸型部
１４；組付き軸部
１５；組付きピン
１ａ；プリフォーム
２ａ；口筒部
４ａ；胴筒部
６ａ；底壁部
【図１】
0005035676.tif 000002
【図２】
0005035676.tif 000003
【図３】
0005035676.tif 000004
【図４】
0005035676.tif 000005
【図５】
0005035676.tif 000006